(57)【要約】【課題】電離箱以外の、電離箱より小さな線量計を用いた迅速、簡便且つ安価なＣＴＤＩ測定を可能とする。【解決手段】散乱を起こしてＸ線の検出を邪魔しない物質でなり、線量計（５０）を収容する部分（線量計収容孔４４）、及び、ＣＴ線量測定用ファントム１０に挿入可能な外形を有する保持治具４０に線量計（５０）を挿入した線量測定ユニット６０をＣＴ線量測定用ファントム１０のＣＴ用電離箱が挿入される孔１２に挿入してＣＴＤＩを測定する。線量計として、電離箱以外の、電離箱より小さなガラス線量計、光（刺激）ルミネッセンス線量計（ＯＳＬＤ）、熱ルミネッセンス線量計（ＴＬＤ）などを用いることができる。【選択図】図３
2020000557.tif 000002
【特許請求の範囲】
【請求項１】
線量計を保持した治具をＣＴ線量測定用ファントムに挿入してＣＴＤＩを測定することを特徴とするＸ線ＣＴのＣＴＤＩ測定方法。
【請求項２】
前記治具を、前記ＣＴ線量測定用ファントムのＣＴ用電離箱が挿入される孔に挿入することを特徴とする請求項１に記載のＸ線ＣＴのＣＴＤＩ測定方法。
【請求項３】
前記治具が、前記線量計を前記ＣＴ線量測定用ファントムの所定位置に保持するようにされていることを特徴とする請求項１又は２に記載のＸ線ＣＴのＣＴＤＩ測定方法。
【請求項４】
前記線量計がガラス線量計であることを特徴とする請求項１乃至３のいずれかに記載のＸ線ＣＴのＣＴＤＩ測定方法。
【請求項５】
散乱を起こしてＸ線の検出を邪魔しない物質でなり、線量計を収容する部分、及び、ＣＴ線量測定用ファントムに挿入可能な外形を有することを特徴とするＸ線ＣＴのＣＴＤＩ測定用線量計保持治具。
【請求項６】
発泡性プラスチックで形成されていることを特徴とする請求項５に記載のＸ線ＣＴのＣＴＤＩ測定用線量計保持治具。
【請求項７】
中央に線量計を収容する孔が形成された本体部と、該本体部の線量計収容孔を覆うキャップ部と、から構成されることを特徴とする請求項５又は６に記載のＸ線ＣＴのＣＴＤＩ測定用線量計保持治具。
【請求項８】
保持治具に線量計を挿入して線量測定ユニットとし、
該線量測定ユニットをＣＴ線量測定用ファントムに挿入して、
Ｘ線を照射し、
透過したＸ線を検出することを特徴とするＸ線ＣＴのＣＴＤＩ測定方法。
【請求項９】
線量計と、
該線量計が挿入される保持治具と、
該保持治具に前記線量計が挿入された線量測定ユニットと、
該線量測定ユニットが挿入されるＣＴ線量測定用ファントムと、
該ＣＴ線量測定用ファントムにＸ線を照射する手段と、
前記ＣＴ線量測定用ファントムを透過したＸ線を検出する手段と、
を備えたことを特徴とするＸ線ＣＴのＣＴＤＩ測定装置。
【発明の詳細な説明】
【技術分野】
【０００１】
本発明は、Ｘ線ＣＴ（Computed Tomography）のＣＴＤＩ（Computed Tomography Dose Index）測定方法、そのための線量計保持治具、及び、これを用いたＸ線ＣＴのＣＴＤＩ測定方法、装置に係り、特に、電離箱の代わりに蛍光ガラス線量計（以下単にガラス線量計と称する）や光（刺激）ルミネッセンス線量計（ＯＳＬＤ）、熱ルミネッセンス線量計（ＴＬＤ）などを用いてＣＴＤＩを迅速、簡便且つ安価に測定することが可能なＸ線ＣＴのＣＴＤＩ測定方法、そのための線量計保持治具、及び、これを用いたＸ線ＣＴのＣＴＤＩ測定方法、装置に関する。
【背景技術】
【０００２】
ＣＴＤＩは線量指標であり、Ｘ線ＣＴ装置の性能評価や管理のための線量値であるが、測定のためのファントムを人体のサイズに近づけることにより、ＣＴ検査時の患者被曝線量の評価の指標としても用いられている（特許文献１参照）。近年、被曝線量の出力機能が機器認証の要求事項に含まれるようになっており、ＪＩＳＺ４７５２−２−６で規定されているように、不変性試験の線量評価指標として、少なくとも半年に１回、専用のＣＴ線量測定用ファントムと線量計を用いて測定する必要がある。
【０００３】
ＣＴ線量測定用ファントムとしては、図１に例示するような例えばアクリル樹脂製、直径３２０ｍｍの腹部用と直径１６０ｍｍの頭部用の円柱形のＣＴ線量測定用ファントム１０が知られており、これをＸ線管球などのＸ線源２２とカメラ２４を備えたガントリ２０内に挿入して、Ｘ線源２２とカメラ２４をＣＴ線量測定用ファントム１０の周りに回転しつつ測定する。ＣＴ線量測定用ファントム１０には、中心及び上下左右方向の表面から例えば深さ１０ｍｍの位置にＣＴ用電離箱の入る電離箱挿入孔１２が空けられており、ここにペンシル型のＣＴ用電離箱を挿入して測定を行う。
【０００４】
測定の一例を図２に示す。患者寝台３０上にＣＴ用電離箱１４を挿入したＣＴ線量測定用ファントム１０を直接又は浮かせて配置し、例えばシングルスキャンを行うことによって測定する。
【０００５】
一方近年、ＣＴ用電離箱の代わりに取扱いの容易なガラス線量計を用いる試みもなされている（特許文献２、非特許文献１参照）。
【先行技術文献】
【特許文献】
【０００６】
【特許文献１】特開２００６−２６４１７号公報
【特許文献２】特開２０１６−１７４８６３号公報
【非特許文献】
【０００７】
【非特許文献１】廣澤文香他「Ｘ線ＣＴにおける線量評価を目的とした蛍光ガラス線量計の特性および使用方法の検討」日本放射線技術学会雑誌７１巻１号  ２０１５年１月
【発明の概要】
【発明が解決しようとする課題】
【０００８】
しかしながら従来は、ＣＴ線量測定用ファントムに電離箱以外の、電離箱より小さなガラス線量計や光（刺激）ルミネッセンス線量計（ＯＳＬＤ）、熱ルミネッセンス線量計（ＴＬＤ）などを装着する適切な方法が考えられていなかった。
【０００９】
本発明は、前記従来の問題点を解決するべくなされたもので、電離箱以外の、電離箱より小さなガラス線量計や光（刺激）ルミネッセンス線量計（ＯＳＬＤ）、熱ルミネッセンス線量計（ＴＬＤ）などを用いて迅速、簡便且つ安価にＸ線ＣＴのＣＴＤＩを測定可能とすることを課題とする。
【課題を解決するための手段】
【００１０】
本発明は、線量計を保持した治具をＣＴ線量測定用ファントムに挿入してＣＴＤＩ（例えばＣＴＤＩvol）を測定することにより、前記課題を解決するものである。
【００１１】
ここで、前記治具を、前記ＣＴ線量測定用ファントムのＣＴ用電離箱が挿入される孔に挿入することができる。
【００１２】
又、前記治具が、前記線量計を前記ＣＴ線量測定用ファントムの所定位置に保持するようにすることができる。
【００１３】
又、前記線量計をガラス線量計とすることができる。
【００１４】
本発明は、又、散乱を起こしてＸ線の検出を邪魔しない物質でなり、線量計を収容する部分、及び、ＣＴ線量測定用ファントムに挿入可能な外形を有することを特徴とするＸ線ＣＴのＣＴＤＩ測定用線量計保持治具を提供するものである。
【００１５】
ここで、前記保持治具を発泡性プラスチックで形成することができる。
【００１６】
又、前記保持治具を、中央に線量計を収容する孔が形成された本体部と、該本体部の線量計収容孔を覆うキャップ部と、から構成することができる。
【００１７】
本発明は、又、保持治具に線量計を挿入して線量測定ユニットとし、該線量測定ユニットをＣＴ線量測定用ファントムに挿入して、Ｘ線を照射し、透過したＸ線を検出することを特徴とするＸ線ＣＴのＣＴＤＩ測定方法を提供するものである。
【００１８】
本発明は、又、線量計と、該線量計が挿入される保持治具と、該保持治具に前記線量計が挿入された線量測定ユニットと、該線量測定ユニットが挿入されるＣＴ線量測定用ファントムと、該ＣＴ線量測定用ファントムにＸ線を照射する手段と、前記ＣＴ線量測定用ファントムを透過したＸ線を検出する手段と、を備えたことを特徴とするＸ線ＣＴのＣＴＤＩ測定装置を提供するものである。
【発明の効果】
【００１９】
本発明によれば、電離箱以外の、電離箱より小さなガラス線量計や光（刺激）ルミネッセンス線量計（ＯＳＬＤ）、熱ルミネッセンス線量計（ＴＬＤ）などを用いて、Ｘ線ＣＴのＣＴＤＩ（特にＣＴＤＩvol）を迅速、簡便且つ安価に測定することが可能となる。
【図面の簡単な説明】
【００２０】
【図１】ＣＴ線量測定用ファントムの例を示す概略図
【図２】ＣＴＤＩの測定配置の例を示す断面図
【図３】本発明に係るＣＴＤＩ測定用ガラス線量計保持治具の実施形態の構成を示す斜視図
【図４】前記保持治具に挿入されるガラス線量計の一例を示す分解斜視図
【図５】本発明の実施形態におけるＣＴＤＩの測定手順を示す流れ図
【図６】前記測定手順でＣＴ線量測定用ファントムとガントリの位置合せを行っている状態を示す側面図及び斜視図
【図７】同じく中央の線量測定ユニットをＣＴ線量測定用ファントムに挿入している状態を示す斜視図
【図８】同じくＣＴ線量測定用ファントム挿入後の線量測定ユニットの位置を示す側面図及び斜視図
【図９】同じくＣＴ線量測定用ファントム挿入後の５本の線量測定ユニットの配置を示す側面図及び斜視図
【図１０】同じく撮影時のＣＴ線量測定用ファントムにおける撮影範囲を示す水平断面図
【発明を実施するための形態】
【００２１】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２２】
本発明で用いるＣＴＤＩ測定用ガラス線量計保持治具の実施形態を図３に示す。
【００２３】
この保持治具４０は、散乱を起こしてＸ線の検出を邪魔しない物質、例えば透過率が空気に近い発泡性プラスチックでなり、中央に後出のガラス線量計５０を収容するガラス線量計収容孔４４が形成され、図１に例示したＣＴ線量測定用ファントム１０に挿入される外形を有する筒状の本体部４２と、同じく発泡性プラスチックでなり、前記本体部４２のガラス線量計収容孔４４を覆うキャップ部４６とから構成されている。
【００２４】
前記キャップ部４６には、例えばＣＴ線量測定用ファントム１０への挿入位置である中央（Ｃ）、上（Ｔ）、下（Ｂ）、右（Ｒ）、左（Ｌ）を識別するための位置識別番号などが付されたシール４８が貼られている。なお、シール４８の代わりに手書きで位置識別番号などを記入することもできる。
【００２５】
前記本体部４２のガラス線量計収容孔４４に収容されるガラス線量計５０は、図４に詳細に示す如く、ガラス素子５２と、該ガラス素子５２を収容するホルダ５４と、該ホルダ５４のキャップ５６とを含んで構成されている。前記ホルダ５４の例えば側面には、ホルダ５４を識別するためのＩＤ５８が付されている。前記ホルダ５４には、補正用のフィルタを備えたものと備えていないものがあり、用途に応じて使い分けられる。
【００２６】
ＣＴＤＩの測定に際しては、図５に示す如く、まずステップ１００で保持治具４０にガラス線量計５０を挿入して、線量測定ユニット６０とする。
【００２７】
次いで、ステップ１１０でＣＴ線量測定用ファントム１０をガントリ２０内に設定する。
【００２８】
具体的には、Ｘ線ＣＴのヘッドレストや延長寝台を取り外し、タオル等を患者寝台３０上に敷いてＣＴ線量測定用ファントム１０が固定される環境を作り、図６に例示する如く、ＣＴ線量測定用ファントム１０の中心がガントリ２０の中心になり、周辺部の測定点が例えば１２時、３時、６時、９時の位置にくるように設置する。
【００２９】
次いでステップ１２０で投光レーザにより確認し、ステップ１３０で、Ｘ線源２２を固定したままガラス線量計５０や保持治具４０を挿入することなく、ＣＴスキャンの撮影範囲を決定するために、正面（０°）のスカウト撮影を行い、ＣＴ線量測定用ファントム１０の位置を確認する。
【００３０】
次いでステップ２００に進み、図７に例示する如く、ＣＴ線量測定用ファントム１０の電離箱挿入孔１２に、線量測定ユニット６０を寝台側からガントリ側に向かって挿入する。この際、本体部４２を完全に挿入するとキャップ部４６で自然に留まり、線量測定ユニット６０の測定部が図８に示す如くＣＴ線量測定用ファントム１０の中心に配置される。そして、図９に示す如く、ＣＴ線量測定用ファントム１０の中央Ｃ、上Ｔ、下Ｂ、右Ｒ、左Ｌの測定点５箇所全てに線量測定ユニット６０を挿入する。
【００３１】
次いでステップ３００に進み、本発明に係る線量測定ユニット６０によるＣＴＤＩ測定を行う。具体的には、図１０に従ってＣＴ線量測定用ファントム１０の中心が撮影中心になるように、例えば１０ｃｍの範囲を撮影する。同様の撮影を１条件につき５セット分行って測定を終了する。
【００３２】
このようにして、５点の測定を同時に行うことができるので、電離箱を用いる従来に比べて１／５の時間で測定を行うことができる。
【００３３】
前記実施形態においては、保持治具４０が本体部４２とキャップ部４６の組合せとされ、材質が発泡性プラスチックとされていたが、保持治具の形状や材質はこれらに限定されない。
【００３４】
又、前記実施形態においては、線量計としてガラス線量計が用いられていたが、光（刺激）ルミネッセンス線量計（ＯＳＬＤ）や、熱ルミネッセンス線量計（ＴＬＤ）など、電離箱以外の、電離箱より小さな他の線量計を用いることも可能である。
【００３５】
測定対象もＣＴＤＩvolに限定されない。
【符号の説明】
【００３６】
１０…ＣＴ線量測定用ファントム
１２…電離箱挿入孔
２０…ガントリ
４０…ガラス線量計保持治具
４２…本体部
４４…ガラス線量計収容孔
４６…キャップ部
５０…（蛍光）ガラス線量計
５２…ガラス素子
５４…ホルダ
５６…キャップ
６０…線量測定ユニット
【図１】
2020000557.tif 000003
【図２】
2020000557.tif 000004
【図３】
2020000557.tif 000005
【図４】
2020000557.tif 000006
【図５】
2020000557.tif 000007
【図６】
2020000557.tif 000008
【図７】
2020000557.tif 000009
【図８】
2020000557.tif 000010
【図９】
2020000557.tif 000011
【図１０】
2020000557.tif 000012